(57)【特許請求の範囲】
【請求項１】
底壁１の周囲に各一対の側壁１５及び端壁１６を備え、側壁１５を底壁１に順次繋がる外側板２、額縁板３及び内側板４から形成し、また端壁１６を底壁１に順次繋がる外端板５、額縁板６及び内端板７から形成し、外側板２から延出した折込片８を外端板５と内端板７の間に挟み込んで側壁１５及び端壁１６の起立状態を維持する段ボール箱において、段ボール材の段目を４５°傾斜させ、内側板４及び内端板７の先端角部を斜めに切断し、外端板５、内端板７及び折込片８にそれぞれ穿設した貫穴１２乃至１４を一致させて、端壁１６を貫通する取手穴１７を形成し、折込片８の貫穴１４の上縁及び下縁のうち少なくとも一方を、内端板７の貫穴１３よりも大きく切り込んで、これらの貫穴１３，１４に段差を形成し、内側板４及び内端板７の先端に設けた係合突起１０を固定用の係合穴１１に挿入したことを特徴とする段ボール箱。
【発明の詳細な説明】
【０００１】
【発明の属する技術分野】
この発明は、折り曲げにより形状を保持する段ボール箱に関するものである。
【０００２】
【従来の技術】
従来より、農産物等を運搬するため、図７に示すようなブランクを図８に示すような形状に組み立てた段ボール箱が使用されている。
【０００３】
この段ボール箱は、底壁５０の周囲に各一対の側壁５１及び端壁５２を備え、側壁５１は底壁５０の側縁に順次繋がる外側板５３、額縁板５４及び内側板５５から形成され、端壁５２は底壁５０の端縁に順次繋がる外端板５６、額縁板５７及び内端板５８から形成されている。
【０００４】
そして、外側板５３及び内側板５５の端縁から折込片５９、６０が延出され、これらを外端板５６と内端板５８の間に挟み込むことにより、側壁５１及び端壁５２の起立状態が維持されている。
【０００５】
端壁５２においては、外端板５６及び内端板５８にそれぞれ貫穴６１、６２が穿設され、これらを折込片５９、６０に穿設した貫穴６３と一致させて、端壁５２を貫通する取手穴６４が形成されている。
【０００６】
また、この段ボール箱では、側壁５１、５１を結ぶ方向に段ボール材の段目が向いており、取手穴６４において、貫穴６１乃至６３の上縁及び下縁はほぼ揃っている。
【０００７】
【発明が解決しようとする課題】
しかしながら、上記のような段ボール箱では、ブランク状態において、側壁５１及び端壁５２をなす部材が底壁５０から十字状に拡がっているため、複数の段ボール箱のブランクを並べて材料から取ると、各箱のブランクの４隅に材料が利用されない部分が生じ、材料を効率的に使用できないという問題がある。
【０００８】
また、組み立てに際し、幅が狭く段目に平行した額縁板５７などは、罫線に沿って正確かつ素早く折り曲げることが難しいという問題もある。
【０００９】
そのほか、内端板５８を内側にはね上げて解体する際、取手穴６４をなす貫穴６１乃至６３の上縁及び下縁が揃っていると、内端板５８に指を掛けるところがなく、作業性が悪いという問題もある。
【００１０】
そこで、この発明は、材料を効率よく使用でき、組み立てや解体が容易な段ボール箱を提供することを課題とする。
【００１１】
【課題を解決するための手段】
上記課題を解決するため、この発明は、底壁の周囲に各一対の側壁及び端壁を備え、側壁を底壁に順次繋がる外側板、額縁板及び内側板から形成し、また端壁を底壁に順次繋がる外端板、額縁板及び内端板から形成し、外側板から延出した折込片を外端板と内端板の間に挟み込んで側壁及び端壁の起立状態を維持する段ボール箱において、段ボール材の段目を４５°傾斜させ、内側板及び内端板の先端角部を斜めに切断し、外端板、内端板及び折込片にそれぞれ穿設した貫穴を一致させて、端壁を貫通する取手穴を形成し、折込片の貫穴の上縁及び下縁のうち少なくとも一方を、内端板の貫穴よりも大きく切り込んで、これらの貫穴に段差を形成し、内側板及び内端板の先端に設けた係合突起を固定用の係合穴に挿入したのである。
【００１２】
このように構成すると、ブランクの面積が小さくなるだけでなく、ブランクが方形に近い形状となるので、複数の段ボール箱のブランクを斜辺が隣り合うように並べて効率的に材料を使用できる。
【００１３】
また、側壁及び端壁の罫線がいずれも段目に角度をもって交わるので、その罫線に沿って正確に素早く折り曲げて組み立てることができる。
【００１４】
さらに、外端板、内端板及び折込片にそれぞれ穿設した貫穴を一致させ、端壁を貫通する取手穴を形成する場合、折込片の貫穴の上縁及び下縁のうち少なくとも一方を、内端板の貫穴よりも大きく切り込み、内端板と折込片の貫穴に段差を形成したので、その段差に指を掛けて内端板をはね上げることにより、容易に解体できる。
【００１５】
【発明の実施の形態】
この発明の第１実施形態を図１乃至図４に基づいて説明する。
【００１６】
この段ボール箱のブランクでは、図１に示すように、材料の段ボールシートが段目を４５°傾斜させた状態で使用され、底壁１の一方の対向する２辺には外側板２、額縁板３及び内側板４が、他方の対向する２辺には外端板５、額縁板６及び内端板７がそれぞれ順次連設されている。外側板２及び内側板４の両側縁には折込片８、９がそれぞれ連設され、内側板４、内端板７及び折込片８、９の先端角部は斜めに切断されている。
【００１７】
また、内側板４及び内端板７の先端には係合突起１０が設けられ、底壁１には外側板２と外端板５との稜線に沿って４個の係合穴１１が形成されている。外端板５及び内端板７には貫穴１２、１３が、各折込片８には貫穴１４がそれぞれ穿設され、貫穴１４は貫穴１２、１３よりも大きく切り込まれている。
【００１８】
このようなブランクを組み立てるには、まず、図２に示すように、底壁１から外側板２を起立させ、額縁板３を内側水平方向へ、内側板４を下方へ順次折り曲げ、係合突起１０を係合穴１１に挿入して側壁１５を形成する。
【００１９】
その後、折込片９を内側へ折り曲げ、２枚の折込片８、８を内側へ折り曲げて重ね合わせ、底壁１から外端板５を起立させ、図３に示すように、額縁板６を内側水平方向へ、内端板７を下方へ順次折り曲げ、係合突起１０を係合穴１１に挿入して端壁１６を形成する。
【００２０】
このように組み立てると、側壁１５及び端壁１６が互いに係合して起立状態で保持され、貫穴１２乃至１４が一致して端壁１６を貫通する取手穴１７が形成される。また、箱の上部には、必要に応じて蓋１８を被せる。
【００２１】
上記のような段ボール箱では、ブランクの面積が小さくなるだけでなく、ブランクが方形に近い形状となるため、複数個の箱のブランクを斜辺が隣り合うように並べて、効率よく材料を使用できる。
【００２２】
また、額縁板３、６のいずれにおいても、両側の罫線が段目に角度をもって交わるので、組立過程において、額縁板３、６を罫線に沿って正確に素早く折り曲げることができる。
【００２３】
そのほか、解体に際しては、内端板７の斜辺に指を掛けて内端板７をはね上げると、容易に解体でき、また、取手穴１７において、図４に示すように、貫穴１４の下縁が貫穴１３よりも大きく切り込まれ、貫穴１３、１４に段差が形成されているので、その段差に指を掛けて内端板７をはね上げても、容易に解体できる。
【００２４】
ここで、貫穴１３、１４の段差は８ｍｍ以上あれば指を掛けやすく、また、貫穴１２の下縁も貫穴１３より少し大きく切り込んでおくと、取手穴１７に指を入れやすくなる。
【００２５】
また、貫穴１４の上縁を貫穴１３よりも大きく切り込んで、その段差に指を掛けるようにしても、容易に解体できる。この場合、取手穴１７への指入れ性を向上させるには、貫穴１２の上縁を切り込むようにする。
【００２６】
次に、この発明の第２実施形態を、図５及び図６に基づいて、上記第１実施形態との相違点を中心に説明する。
【００２７】
この段ボール箱では、図５に示すように、上記第１実施形態のものよりも内側板４、内端板７及び折込片８、９の先端角部が大きく切り落とされており、図６に示すように、内端板７の先端部が底壁１に届かないので、内端板７の両側に係合突起１０が設けられ、内側板４の両端部に折込片９との稜線に沿って係合穴１１が形成されている。
【００２８】
このように構成すると、材料の使用量をさらに抑制でき、内端板７の下縁に指を掛けて解体することもできるようになる。
【００２９】
【発明の効果】
以上のように、この発明では、底壁に順次繋がる外側板、額縁板及び内側板から側壁を形成すると共に、底壁に順次繋がる外端板、額縁板及び内端板から端壁を形成し、外側板から延出した折込片を外端板と内端板の間に挟み込んで形状を保持する段ボール箱において、段ボール材の段目を４５°傾け、内側板及び内端板の先端角部を斜めに切断したので、ブランクの面積が小さくなるだけでなく、ブランクが方形に近い形状となり、複数の段ボール箱のブランクを斜辺が隣り合うように並べて効率的に材料を使用できる。
【００３０】
また、側壁及び端壁の罫線がいずれも段目に角度をもって交わるため、その罫線に沿って正確に素早く折り曲げて組み立てることができる。
【００３１】
さらに、取手穴において、折込片の貫穴の上縁及び下縁のうち少なくとも一方を内端板の貫穴よりも大きく切り込んで、内端板と折込片の貫穴に段差を形成したので、その段差に指を掛けて内端板をはね上げ、容易に解体できる。
【図面の簡単な説明】
【図１】第１実施形態のブランクを示す図
【図２】同上の組立過程を示す斜視図
【図３】同上の組立状態を示す斜視図
【図４】同上の端部断面図
【図５】第２実施形態のブランクを示す図
【図６】同上の組立過程を示す斜視図
【図７】従来例のブランクを示す図
【図８】同上の組立状態を示す斜視図
【符号の説明】
１  底壁
２  外側板
３  額縁板
４  内側板
５  外端板
６  額縁板
７  内端板
８、９  折込片
１０  係合突起
１１  係合穴
１２乃至１４  貫穴
１５  側壁
１６  端壁
１７  取手穴
【図１】
0003586621.tif 000002
【図２】
0003586621.tif 000003
【図３】
0003586621.tif 000004
【図４】
0003586621.tif 000005
【図５】
0003586621.tif 000006
【図６】
0003586621.tif 000007
【図７】
0003586621.tif 000008
【図８】
0003586621.tif 000009